(57)【特許請求の範囲】
【請求項１】
第１の表示入力部が設けられた第１の面を有する第１の筐体と、
第２の表示入力部と複数のキーを有するキー入力部とが設けられた第２の面を有し、前記第１の面の背面と前記第２の面とが対向しながら前記第１の筐体が前記第２の面上を前記第１の面の短辺方向に摺動することにより、前記第１の筐体と重ね合わされて前記第２の面が覆われた閉状態と前記第２の表示入力部と前記キー入力部とが露出する開状態との間で開閉自在に前記第１の筐体に連結された第２の筐体と、
ユーザの利き手が右手か左手かの利き手情報を記憶した利き手情報記憶部と、
前記開状態における姿勢が、前記第１の面の長辺方向が上下方向となるとともに前記第１の筐体がユーザから見て左側に位置するようにユーザにより保持された第１の姿勢であるか、前記短辺方向が上下方向となるとともに前記第１の筐体がユーザから見て上側に位置するようにユーザにより保持された第２の姿勢であるかを判定する姿勢判定部と、
前記利き手情報および前記姿勢の情報に基づいて前記第１の表示入力部の表示画面および前記第２の表示入力部の表示画面に表示させる画像を生成する画像生成部と、
前記利き手情報および前記姿勢の情報に基づいて前記キー入力部の前記複数のキーのそれぞれに割り当てられる機能を決定するキー機能決定部であって、前記第１の姿勢で保持されると前記複数のキーの一部に対しテンキーの機能を割当てる、キー機能決定部と、
を備え、
前記画像生成部は、
前記ユーザの利き手が左手でありかつ前記第１の姿勢で保持されると、前記第１の表示入力部の表示画面に表示させる画像として前記キー入力部を構成する前記複数のキーと同等の機能が割り当てられた複数のソフトキーを含む画像を生成するとともに、前記第２の表示入力部の表示画面に表示させる画像として前記複数のソフトキーを介して入力された情報に基づく画像を生成する、
ことを特徴とする携帯端末。
【請求項２】
前記第２の表示入力部は、
画像を表示する表示部と前記表示部に表示された画像に対応する入力を受け付ける入力部により構成され、前記第１の姿勢のときは、前記入力部に対する入力操作を無効化する、
請求項１に記載の携帯端末。
【請求項３】
前記画像生成部は、
前記ユーザの利き手が左手でかつ前記第１の姿勢で保持されると、前記第１の表示入力部の表示画面に表示させる画像としてソフトキーとしてのテンキーを含む画像を生成するとともに、前記第２の表示入力部の表示画面に表示させる画像として前記キー入力部および前記ソフトキーとしてのテンキーを介して入力が確定された文字列の画像を生成し、
前記キー機能決定部は、
前記ユーザの利き手が左手でありかつ前記第１の姿勢で保持されると、前記ソフトキーとしてのテンキーに割り当てられる文字種と異なる文字種を前記キー入力部に割り当てる、
請求項１記載の携帯端末。
【請求項４】
前記画像生成部は、
前記ユーザの利き手が右手でありかつ前記第１の姿勢で保持されると、前記第１の表示入力部の表示画面に表示させる画像として、前記キー入力部を介して入力が確定された文字列の画像を生成する、
請求項１ないし３のいずれか１項に記載の携帯端末。
【発明の詳細な説明】
【技術分野】
【０００１】
本発明は、表示装置を備えた携帯端末に関する。
【背景技術】
【０００２】
携帯端末には、表示画面と入力部とがユーザの使用時に左右に分かれて位置するものがあり、この場合、ユーザの利き手によっては入力部の操作時にユーザ自身の手で表示画面が隠れて見えなくなってしまう場合がある。
【０００３】
従来、表示画面と入力部とが左右に分かれて位置していてもユーザの利き手によらず入力部の操作時に表示画面が隠れないようにするための種々の技術が開発されている。例えば、特許文献１には、携帯端末の表示画面の左右に入力部を設け、左右の入力部の機能を入れ替え可能とする技術が開示されている。また、特許文献２および特許文献３には、携帯端末の上下を逆にすると表示画面の表示内容の上下を逆にすることによりユーザから見た表示画面と入力部の位置の左右を入れ替えて操作可能とする技術が開示されている。
【先行技術文献】
【特許文献】
【０００４】
【特許文献１】特開２００３−３１６４９８号公報
【特許文献２】特開２００２−７３２４９号公報
【特許文献３】特開２０００−３２２３８６号公報
【発明の概要】
【発明が解決しようとする課題】
【０００５】
しかし、特許文献１に開示された技術では、表示画面の左右に同一の入力部を設ける必要が生じてしまう。このため、入力部が大きい携帯端末にこの技術を適用すると、携帯端末全体が大きくなってしまい携帯性が損なわれてしまう。
【０００６】
また、特許文献２および特許文献３に開示された技術では、携帯端末の上下を逆にする必要が生じてしまう。このため、携帯端末の構成が上下を逆にすると不都合が生じる構成である場合には、携帯端末にこの技術を適用することは難しい。たとえば、携帯電話機では、機器の上側端部にレシーバが設けられ、下側端部にマイクロフォンが設けられることが多い。この種の携帯電話機の上下を逆にすると、レシーバとマイクロフォンの上下も逆になるため利便性が損なわれてしまう。
【０００７】
本発明は、上述した事情を考慮してなされたもので、ユーザの利き手によらず操作性がよい携帯端末を提供することを目的とする。
【課題を解決するための手段】
【０００８】
本発明に係る携帯端末は、上述した課題を解決するために、第１の表示入力部が設けられた第１の面を有する第１の筐体と、第２の表示入力部と複数のキーを有するキー入力部とが設けられた第２の面を有し、前記第１の面の背面と前記第２の面とが対向しながら前記第１の筐体が前記第２の面上を前記第１の面の短辺方向に摺動することにより、前記第１の筐体と重ね合わされて前記第２の面が覆われた閉状態と前記第２の表示入力部と前記キー入力部とが露出する開状態との間で開閉自在に前記第１の筐体に連結された第２の筐体と、ユーザの利き手が右手か左手かの利き手情報を記憶した利き手情報記憶部と、前記開状態における姿勢が、前記第１の面の長辺方向が上下方向となるとともに前記第１の筐体がユーザから見て左側に位置するようにユーザにより保持された第１の姿勢であるか、前記短辺方向が上下方向となるとともに前記第１の筐体がユーザから見て上側に位置するようにユーザにより保持された第２の姿勢であるかを判定する姿勢判定部と、前記利き手情報および前記姿勢の情報に基づいて前記第１の表示入力部の表示画面および前記第２の表示入力部の表示画面に表示させる画像を生成する画像生成部と、を備えたことを特徴とするものである。
【発明の効果】
【０００９】
本発明に係る携帯端末によれば、ユーザの利き手によらず操作性がよい携帯端末を提供する。
【図面の簡単な説明】
【００１０】
【図１】（ａ）は携帯電話機が開いている状態（開状態）における斜視図、（ｂ）は携帯電話機が閉じた状態（閉状態）における斜視図。
【図２】（ａ）は携帯電話機の第１の姿勢における正面図、（ｂ）は携帯電話機の第２の姿勢における正面図。
【図３】従来の横スライド型携帯電話機の第１の姿勢における電子メール作成画面の一例を示す説明図。
【図４】本実施形態に係る携帯電話機の第１の姿勢における左利き用の電子メール作成画面の一例を示す説明図。
【図５】本実施形態に係る携帯電話機の第１の姿勢における右利き用の電子メール作成画面の一例を示す説明図。
【図６】携帯電話機の内部構成例を概略的に示すブロック図。
【図７】主制御部のＣＰＵによる機能実現部の構成例を示す概略的なブロック図。
【図８】本実施形態に係る携帯電話機の第１の姿勢における右利き用の電子メール作成画面の他の例を示す説明図。
【図９】本実施形態に係る携帯電話機の第２の姿勢においてウェブページが閲覧される際に主制御部によりサブタッチパネルにタッチパッドの機能が割り当てられる様子の一例を示す説明図。
【図１０】本実施形態に係る携帯電話機の第２の姿勢においてウェブページが閲覧される際に主制御部によりサブタッチパネルにフルキーボードの半分のキーの機能が割り当てられる様子の一例を示す説明図。
【図１１】本実施形態に係る携帯電話機の第２の姿勢においてウェブページが閲覧される際に主制御部によりサブタッチパネルにウェブブラウザのメニューが表示される様子の一例を示す説明図。
【発明を実施するための形態】
【００１１】
本発明に係る携帯端末の実施の形態について、添付図面を参照して説明する。  
図１は、本発明に係る携帯端末の一実施形態を示す外観斜視図である。なお、本発明は、タッチパネルを有する種々の携帯端末に適用することができる。本実施形態では、本発明に係る携帯端末として携帯電話機を用いる場合の一例について示す。
【００１２】
図１（ａ）には、携帯電話機１０が開いている状態（開状態）における斜視図を、（ｂ）には携帯電話機１０が閉じた状態（閉状態）における斜視図を、それぞれ示した。
【００１３】
携帯電話機１０は、いわゆる横スライド型の携帯電話機である。携帯電話機１０は、第１の筐体１１および第２の筐体１２により構成される。第１の筐体１１および第２の筐体１２はそれぞれ長方形の主面を有し、第１の筐体１１は、第２の筐体１２に対して矢印Ｘの方向（主面の短辺方向）に摺動することにより開閉自在となるように図示しない連結部を介して連結される。第１の筐体１１が矢印Ｘの方向に摺動することにより、携帯電話機１０は、開状態（図１（ａ）参照）と閉状態（図１（ｂ）参照）とで位置決めすることができる。
【００１４】
なお、第１の筐体１１は第２の筐体１２に対し、図１（ｂ）に示す閉状態からＸ方向負の向きへは摺動することができないよう構成されている。図１（ｂ）に示す閉状態から開状態へ遷移する場合は、図１（ａ）に示したように、第１の筐体１１が第２の筐体１２に対してＸ方向正の向きに摺動することになる。
【００１５】
図１に示すように、第１の筐体１１を構成する面のうち、閉状態において露出する面（第１の面）１３には、第１の表示入力部としてのメインタッチパネル１４が第１の面１３のほぼ全域を占めるように設けられるとともに、レシーバ１５およびマイクロフォン１６が設けられる。一方、第２の筐体１２を構成する面のうち、閉状態において第１の面１３の背面と対向して覆われる面（第２の面）１７には、第２の表示入力部としてのサブタッチパネル１８およびキー入力部１９が設けられる。
【００１６】
また、第１の筐体１１と第２の筐体１２の内部には、それぞれ磁性片２１と磁気センサ２２が設けられており、閉状態では、磁気片２１と磁気センサ２２は対向する位置に配置されている。
【００１７】
図２（ａ）は携帯電話機１０の第１の姿勢における正面図であり、（ｂ）は携帯電話機１０の第２の姿勢における正面図である。携帯電話機１０は、開状態においては、図２（ａ）に示す第１の姿勢と、図２（ｂ）に示す第２の姿勢とのいずれかの姿勢で用いられる。
【００１８】
第１の姿勢は、開状態における姿勢の一つであり、第１の筐体１１および第２の筐体１２の長辺方向が上下方向となるとともに第１の筐体１１がユーザから見て左側に位置するようにユーザにより保持された姿勢である。
【００１９】
第２の姿勢は、開状態における姿勢の他の一つであり、第１の筐体１１および第２の筐体１２の短辺方向が上下方向となるとともに第１の筐体１１がユーザから見て上側に位置するようにユーザにより保持された姿勢である。
【００２０】
図２（ａ）から明らかなように、第１の姿勢では、ユーザは第１の筐体１１に左手を、更に第２の筐体１２を握持しつつキー入力部１９を右手の親指で押すことになる。このため、左利きのユーザは、第１の姿勢ではキー入力部１９を利用することが難しい。
【００２１】
ここで、左利きのユーザが横スライド型の携帯電話機を第１の姿勢で利用する場合の問題点について簡単に説明する。
【００２２】
図３は、従来の横スライド型携帯電話機１００の第１の姿勢における電子メール作成画面の一例を示す説明図である。
【００２３】
図３に示すように、従来の横スライド型携帯電話機１００は、図１ないし図２に示されるサブタッチパネル１８の位置にもキー入力部１９が設けられる。携帯電話機１００は、第１の姿勢ではキー入力部１９のうち上側部分のキーには機能が割り当てられず、下側部分のキーにいわゆるテンキーの機能が割り当てられる。なお、テンキーの機能が割り当てられたキーとは、英字／カナ／漢字／数字などの文字種に応じた文字の入力キーとしての機能が割り当てられたキーをいうものとする。
【００２４】
従来の携帯電話機１００のメインタッチパネル１４は、文字列を扱うプログラムにより生成される画像として、確定文字列および未確定文字列を表示するためのテキスト表示領域４１と、予測候補文字列を表示するための候補表示領域４２とを表示する。しかし、図３に示す従来の携帯電話機１００はユーザの利き手が右手であることを前提としており、ユーザの利き手が左手である場合について何らの対策も持たない。
【００２５】
左利きのユーザが従来の携帯電話機１００を第１の姿勢で用いる場合、利き手である左手でキー入力部１９を操作して文字列を入力しようとすると、自らの手でメインタッチパネル１４の表示画面を隠してしまうことになる。
【００２６】
一方、第１の姿勢では、左利きのユーザは右利きのユーザよりもメインタッチパネル１４を容易に利用することができる。
【００２７】
そこで、本実施形態に係る携帯電話機１０は、ユーザの利き手情報を利用可能に構成され、左利きのユーザが第１の姿勢で利用する場合、メインタッチパネル１４にソフトキーを表示し、このソフトキーにキー入力部１９に割り当てられた機能を割り当てる。
【００２８】
図４は、本実施形態に係る携帯電話機１０の第１の姿勢における左利き用の電子メール作成画面の一例を示す説明図である。
【００２９】
携帯電話機１０は、現在第１の姿勢にある旨の情報およびユーザが左利きである旨の情報を取得すると、図４に示すように、メインタッチパネル１４の表示画面には、候補表示領域４２を設けるとともにテンキーや確定キーなどキー入力部１９を構成する複数のキーと同等の機能を割り当てられた複数のソフトキーを含む画像を表示する。また、携帯電話機１０はサブタッチパネル１８を備えており、テキスト表示領域４１をこのサブタッチパネル上に設ける。
【００３０】
サブタッチパネル１８にテキスト表示領域４１を設けることにより、メインタッチパネル１４の表示画面には、テンキーなどの操作キーを操作性のよい大きな画像でソフトキーとして設けることができる。このため、携帯電話機１０によれば、左利きのユーザは第１の姿勢でも容易に文字列入力することができる。
【００３１】
なお、サブタッチパネル１８は主に確定文字列を表示させるために用いられる。このため、サブタッチセンサ３９に対する入力を無効化してもよく、例えばサブタッチセンサ３９に対する給電を停止して消費電力の削減を図ってもよい。
【００３２】
図５は、本実施形態に係る携帯電話機１０の第１の姿勢における右利き用の電子メール作成画面の一例を示す説明図である。
【００３３】
携帯電話機１０は、現在第１の姿勢にある旨の情報およびユーザが右利きである旨の情報を取得すると、図５に示すように、従来の携帯電話機１００と同様の動作を行うことにより従来の携帯電話機１００と同様の操作性をユーザに提供することができる。このとき、サブタッチパネル１８に対する給電を停止しておけば、消費電力も従来の携帯電話機１００とほぼ同様とすることができる。
【００３４】
図６は、携帯電話機１０の内部構成例を概略的に示すブロック図である。
【００３５】
携帯電話機１０は、図１に示したメインタッチパネル１４、レシーバ１５、マイクロフォン１６、サブタッチパネル１８、キー入力部１９、磁性片２１、磁気センサ２２などのほか、少なくともアンテナ３１、送受信部３２、利き手情報記憶部３３、加速度センサ３４および主制御部３５を有する。
【００３６】
第１の表示入力部としてのメインタッチパネル１４は、表示部としてのメインＬＣＤ（Liquid Crystal Display）３６と、メインＬＣＤ３６の近傍に設けられた入力部としてのメインタッチセンサ３７とを有する。また、第２の表示入力部としてのサブタッチパネル１８は、表示部としてのサブＬＣＤ３８と、サブＬＣＤ３８の近傍に設けられた入力部としてのサブタッチセンサ３９とを有する。
【００３７】
以下の説明ではメインＬＣＤ３６およびサブＬＣＤ３８が液晶ディスプレイにより構成される場合の例について示すが、これらは有機ＥＬ（Electro Luminescence）ディスプレイなどの他の一般的な表示出力装置により構成されてもよい。
【００３８】
メインＬＣＤ３６およびサブＬＣＤ３８は、主制御部３５に制御されて、電子メールプログラムなどの文字列作成プログラムやウェブブラウザなどのアプリケーションプログラムにより生成される各種画像や、携帯電話機１０を操作するための情報や携帯電話機１０を操作するための複数のキー（ソフトキー）などを表示する。
【００３９】
メインタッチセンサ３７およびサブタッチセンサ３９は、ユーザによるタッチセンサ上の指示位置の情報を携帯電話機１０の主制御部３５に与える。例えば、ユーザがメインＬＣＤ３６に表示されたソフトキーを押下する操作を意図した場合、ユーザは画面上のソフトキーに接触しようとする。この場合、メインタッチセンサ３７は、この接触動作から得た情報をユーザの指示位置の情報として取得し、携帯電話機１０の主制御部３５に与える。例えば抵抗膜方式の感圧式パネルにより構成される場合、メインタッチセンサ３７は、押圧された位置の情報をユーザの指示位置の情報として取得し、携帯電話機１０の主制御部３５に与える。
【００４０】
レシーバ１５は、受話音声をはじめとした各種の情報に対応した音声を出力する。また、マイクロフォン１６はユーザによって入力された音声をデジタル音声信号に変換する。
【００４１】
キー入力部１９は、複数のキーにより構成され、ユーザの操作に対応した操作入力信号を出力する。各キーは移動指示キー、確定キー、テンキー、電源のオン／オフキー、電子メール機能の起動キー（以下、メール起動キーという）、ウェブブラウザの起動キー（以下、ブラウザ起動キーという）などとして機能する。
【００４２】
主制御部３５は各キーに対し第１の姿勢と第２の姿勢とで異なる機能（キーコード）を割り当てることができるとともに、割り当てた機能に応じてキートップの表示を変更することができる。たとえば、主制御部３５は、第１の姿勢において「１」や「あ」などが割り当てられているキーに対し、第２の姿勢において「Ｔ」などを割り当てることができるとともに、現在割り当てている文字をキートップに表示させることができる。
【００４３】
このため、キー入力部１９は、テンキー（英字／カナ／漢字／数字の入力キー）として用いることもできるし、フルキーボードの一部として用いることもできる。
【００４４】
割り当てられた機能に応じてキートップの表示を変更するため、各キーは、たとえば透明または半透明の樹脂で形成されるとともに背面に照明装置（キーライト）を備えるとよい。
【００４５】
なお、本実施形態ではキー入力部１９が第１の姿勢においてサブタッチパネル１８の下部に設けられる場合の例（図４参照）について説明するが、キー入力部１９の配設位置はこの位置でなくてもよく、たとえばサブタッチパネル１８とキー入力部１９の位置が入れ替わってもよい。
【００４６】
磁気センサ２２は、主制御部３５に対し、磁性片２１との距離に応じた出力を行う。このため、携帯電話機１０は、この出力を監視することにより開閉状態を検知することができる。この磁気センサ２２は、たとえばリードスイッチやホール素子などを用いて構成することができる。
【００４７】
アンテナ３１は、図示しない無線基地局との間で通信電波の送受信を行う。送受信部３２は、通信電波に内在する無線信号を送受信する無線回路であり、主制御部３５から出力される通信データを変調し、アンテナ３１を介して送信する。また、送受信部３２は、アンテナ３１を介して受信した通信データを復調し、主制御部３５へ出力する。通信データには、少なくとも通話を行うための音声データおよびインターネット通信を行うためのデータが含まれる。
【００４８】
利き手情報記憶部３３は、データの書き換えが可能な不揮発性のメモリであり、例えばハードディスクドライブやソリッドステートドライブなどにより構成することができる。この利き手情報記憶部３３は、ユーザにより設定されたユーザの利き手の情報をはじめ、電子メールデータや音楽データなどの各種データを記憶している。ユーザの利き手の情報は、あらかじめユーザにより設定される。
【００４９】
加速度センサ３４は、携帯電話機１０の加速度を検出し、検出した加速度に応じた信号を出力して主制御部３５に与える。本実施形態では、この加速度センサ３４として、非常に小型ながら高精度であるために携帯型の情報処理装置に広く用いられている３軸加速度センサを適用した場合の例について説明する。
【００５０】
加速度センサ３４として３軸加速度センサを用いる場合、加速度センサ３４は、Ｘ軸、Ｙ軸、Ｚ軸の３軸方向の加速度αｘ、αｙ、αｚをそれぞれアナログ電圧値として出力する。主制御部３５は、これらの電圧値から携帯電話機１０の本体が受ける重力加速度の向きを算出することができる。このため、主制御部３５は加速度センサ３４の出力にもとづき携帯電話機１０本体の傾きの情報を取得することができる。
【００５１】
主制御部３５は、ＣＰＵ（Central Processing Unit）、ＲＡＭ（Random Access Memory）およびＲＯＭ（Read Only Memory）をはじめとする記憶媒体などにより構成され、この記憶媒体に記憶されたプログラムに従って携帯電話機１０の動作を制御する。
【００５２】
主制御部３５のＣＰＵは、ＲＯＭをはじめとする記憶媒体に記憶された利き手別表示入力制御プログラムおよびこのプログラムの実行のために必要なデータをＲＡＭへロードし、このプログラムに従って、ユーザの利き手に応じてメインタッチパネル１４、サブタッチパネル１８およびキー入力部１９を制御することにより左利きのユーザに対する操作性を向上させるための処理を実行する。
【００５３】
また、主制御部３５のＣＰＵは、ＲＯＭをはじめとする記憶媒体に記憶された電子メール作成プログラムなどの文字列作成プログラムやウェブブラウザプログラムなどの各種のアプリケーションプログラムの実行のために必要なデータをＲＡＭへロードし、これらのプログラムに従って、メインタッチパネル１４およびサブタッチパネル１８に表示するための画像を生成する画像生成部として機能する。
【００５４】
主制御部３５のＲＡＭは、ＣＰＵが実行するプログラムおよびデータを一時的に格納するワークエリアを提供する。
【００５５】
主制御部３５のＲＯＭをはじめとする記憶媒体は、携帯電話機１０の起動プログラム、利き手別表示入力制御プログラムや、これらのプログラムを実行するために必要な各種データを記憶する。
【００５６】
なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。ここで電子ネットワークとは、電気通信技術を利用した情報通信網全般を意味し、無線／有線ＬＡＮ（Local Area Network）やインターネット網のほか、移動体通信網、光ファイバ通信ネットワーク、ケーブル通信ネットワークおよび衛星通信ネットワークなどを含む。
【００５７】
図７は、主制御部３５のＣＰＵによる機能実現部の構成例を示す概略的なブロック図である。なお、この機能実現部は、ＣＰＵを用いることなく回路などのハードウエアロジックによって構成してもよい。
【００５８】
図７に示すように、主制御部３５のＣＰＵは、利き手別表示入力制御プログラムによって、少なくとも開閉判定部５１、向き情報取得部５２、姿勢判定部５３、操作内容取得部５４、キー表示変更部５５、キー機能決定部５６および画像生成部５７として機能する。この各部５１〜５７は、ＲＡＭの所要のワークエリアを、データの一時的な格納場所として利用する。
【００５９】
開閉判定部５１は、磁気センサ２２の出力に基づいて携帯電話機１０の位置決め状態を監視し、現在開状態にあるか閉状態にあるかを判定する。
【００６０】
向き情報取得部５２は、加速度センサ３４の出力に基づいて携帯電話機１０の傾きを検知する。
【００６１】
姿勢判定部５３は、開閉判定部５１から携帯電話機１０の位置決め状態の情報を、向き情報取得部５２から携帯電話機１０の傾きの情報を、それぞれ取得し、これらの情報に基づいて、位置決め状態が開状態である場合に第１の姿勢、第２の姿勢のいずれの姿勢であるかを判定する。姿勢判定部５３は、位置決め状態が閉状態である場合はその旨の情報を、位置決め状態が開状態である場合は第１の姿勢および第２の姿勢のいずれの姿勢であるかの情報を、キー表示変更部５５、キー機能決定部５６および画像生成部５７に出力する。
【００６２】
なお、姿勢判定部５３は、位置決め状態が開状態であるにもかかわらず携帯電話機１０の姿勢が第１の姿勢および第２の姿勢のいずれの姿勢でもない場合は、出力を行わなくてもよいし、最後に判定したいずれかの姿勢の情報を出力してもよい。
【００６３】
操作内容取得部５４は、メインタッチセンサ３７の出力を受け、メインＬＣＤ３６の表示画面に対する入力操作の内容を取得する。メインタッチセンサ３７の出力には、ユーザにより表示画面上の接触位置の情報が少なくとも含まれる。操作内容取得部５４は、メインタッチセンサ３７から受けたこの接触位置の情報およびこの情報を受けた時間の情報にもとづき、メインＬＣＤ３６の表示画面に対してユーザが入力を意図した操作がプレス、リリース、プレスアンドホールド、スライド、シングルタップ、ダブルタップなどのいずれの入力操作であるかを判別する。なお、サブタッチセンサ３９の出力に対しても、操作内容取得部５４は同様にメインＬＣＤ３８の表示画面に対する入力操作の内容を判別する。
【００６４】
ここで、ユーザの表示画面に対する各入力操作について、プレスとは非接触状態から接触状態への移行動作をいい、リリースとは接触状態から非接触状態への移行動作をいい、プレスアンドホールドとはプレス後所定の時間（たとえば１秒）以上接触状態を維持するいわゆる長押し動作をいい、スライドとはプレス後接触状態を維持したまま接触位置を移動させるいわゆるドラッグ動作をいうものとする。また、シングルタップとはプレス後所定の時間（たとえば１秒）未満でリリースするいわゆるクリック動作をいい、ダブルタップとはシングルタップ後所定の時間（たとえば０．５秒）以内に再度シングルタップするいわゆるダブルクリック動作をいうものとする。
【００６５】
さらに、操作内容取得部５４は、キー入力部１９の出力を受け、ユーザのキー入力部１９に対する操作の内容（押下されたキーの情報や短押し／長押しの種別など）を取得する。
【００６６】
キー表示変更部５５は、現在の姿勢の情報およびユーザの利き手の情報に基づいてキー入力部１９のキートップの表示を変更する。
【００６７】
キー機能決定部５６は、現在の姿勢の情報およびユーザの利き手の情報に基づいてキー入力部１９の各キーに割り当てる機能を決定する。たとえば、第１の姿勢かつユーザが右利きの場合、キー入力部１９の一部にテンキーの機能を割り当てる（図５参照）。また、第１の姿勢かつユーザが左利きの場合、キー入力部１９の一部にテンキーの機能を割り当てる（図４）とともに、メインタッチパネル１４のソフトキーに割り当てられた文字種（たとえば「漢字かな混じり」）とは異なる文字種（たとえば「数字」）を割り当ててもよい。この場合、携帯電話機１０は、漢字、かな、および数字が混在した文字列を作成する際の入力効率を大幅に高めることができる。
【００６８】
画像生成部５７は、現在の姿勢の情報およびユーザの利き手の情報に基づいて、姿勢に応じた表示方向となるようメインＬＣＤ３６およびサブＬＣＤ３８の表示画面に表示させる画像を生成する。この画像は、アプリケーションプログラムにより生成される画像データにもとづくものである。たとえば電子メール作成プログラムが起動されている場合、画像生成部５７はこのプログラムから与えられた電子メール作成画像データをもとに、現在の姿勢の情報およびユーザの利き手の情報に基づいてメインタッチパネル１４およびサブタッチパネル１８の表示画面に表示させる画像を生成する（図４および図５参照）。
【００６９】
また、メインタッチセンサ３７、サブタッチセンサ３９およびキー入力部１９からの入力があると、画像生成部５７は、たとえば新たな文字を表示させるなど、この入力に応じて画像を生成する。キー入力部１９からの入力があった場合は、画像生成部５７はキー機能決定部５６により決定された各キーに割り当てられた機能の情報を利用してユーザの指示内容を特定することができる。
【００７０】
本実施形態に係る携帯電話機１０は、いわゆる横スライド型の携帯電話機であって、サブタッチパネル１８を備えている。このため、ユーザの利き手が左手である場合に、第１の姿勢で文字列作成プログラムが利用される場合、テキスト表示領域４１をサブタッチパネル１８の表示画面に設けることにより、ユーザの左側に位置するメインタッチパネル１４にソフトキーとしてテンキーを表示するための領域を広く確保することができる。したがって、本実施形態に係る携帯電話機１０によれば、左利きのユーザであっても、第１の姿勢において片手で容易に文字列を入力することができる。
【００７１】
図８は、本実施形態に係る携帯電話機１０の第１の姿勢における右利き用の電子メール作成画面の他の例を示す説明図である。
【００７２】
図８に示すように、携帯電話機１０は、現在第１の姿勢にある旨の情報およびユーザが右利きである旨の情報を取得すると、キー入力部１９のテンキーに割り当てられた文字種（たとえば「漢字かな混じり」）とは異なる文字種（たとえば「数字」）を割り当ててもよい。この場合、携帯電話機１０は、漢字、かな、および数字が混在した文字列を作成する際の入力効率を大幅に高めることができる。
【００７３】
本実施形態に係る携帯電話機１０は、従来の携帯電話機１００に対しサブタッチパネル３９が追加されている。このサブタッチパネル３９を以下の図９〜図１１に示すように利用することで、携帯電話機１０は第２の姿勢にあるときでもユーザの利便性を向上させることができる。
【００７４】
図９は、本実施形態に係る携帯電話機１０の第２の姿勢においてウェブページが閲覧される際に主制御部３５によりサブタッチパネル１８にタッチパッドの機能が割り当てられる様子の一例を示す説明図である。
【００７５】
携帯電話機１０の第２の姿勢は、メインＬＣＤ３６が横長となり、パーソナルコンピュータ用に作成されたウェブページなどの横長の画像の表示に好適な姿勢である。
【００７６】
サブタッチセンサ３９は、入力された位置に応じた信号を出力する。このため、サブタッチセンサ３９に対してパーソナルコンピュータに広く用いられているいわゆるタッチパッドとしての機能を容易に割り当てることが可能である。図９には、サブＬＣＤ３８の右端の上下スライド操作に対してメインＬＣＤ３６に表示された画像の上下スクロール操作が割り当てられている場合の例を示した。
【００７７】
サブタッチセンサ５９に対してタッチパネルの機能を割り当てる際は、サブタッチセンサ３９の出力信号に応じて操作内容取得部５１が出力する所定の入力操作の内容（右端スライド、中央ダブルタップ、上辺スライドなど）のそれぞれに対し、画像生成部５７がいわゆるタッチパッドとしての機能を適用してこの入力操作の内容に応じてメインＬＣＤ３６に表示させるための画像を生成する。
【００７８】
第２の姿勢においてサブタッチセンサ３９をタッチパッドとして機能させることにより、ユーザは決定キーおよび方向指示キーのみを用いる場合に比べ非常に容易にメインＬＣＤ３６の表示内容に対する入力操作を行うことができる。
【００７９】
図１０は、本実施形態に係る携帯電話機１０の第２の姿勢においてウェブページが閲覧される際に主制御部３５によりサブタッチパネル１８にフルキーボードの半分のキーの機能が割り当てられる様子の一例を示す説明図である。
【００８０】
携帯電話機１０の第２の姿勢は、メインＬＣＤ３６が横長となり、パーソナルコンピュータ用に作成されたウェブページなどの横長の画像の表示に好適な姿勢である。
【００８１】
図１０に示すように、キー表示変更部５５およびキー機能決定部５６によりキー入力部１９の一部のキーをフルキーボード（たとえばＱＷＥＲＴＹキーボード）の左側半分のキーとして機能させるとともに、画像生成部５７によりサブタッチパネル１８をフルキーボードの右側半分として機能させることにより、ユーザはキー入力部１９とタッチパパネル１８とでフルキーボードを利用することができる。
【００８２】
図１１は、本実施形態に係る携帯電話機１０の第２の姿勢においてウェブページが閲覧される際に主制御部３５によりサブタッチパネル１８にウェブブラウザのメニューが表示される様子の一例を示す説明図である。
【００８３】
サブタッチパネル１８に対してウェブブラウザのメニューを表示しておくことにより、ユーザはメインＬＣＤ３６の表示画像（ウェブページ画像）を隠すことなく各種メニューの選択操作を行うことができる。
【００８４】
第２の姿勢におけるサブタッチパネル１８の利用方法は上記図９〜図１１に示す例に限定されない。また、上記例に示した各機能は、姿勢判定部５３により第２の姿勢に移行したと判定されてあらかじめ設定された機能が実現されてもよいし、ユーザにより必要に応じてメインタッチパネル１４やキー入力部１９を用いた入力操作により呼び出されて実現されてもよい。
【００８５】
このようにサブタッチパネル１８を適宜利用することにより、本実施形態に係る携帯電話機１０は、第１の姿勢において利用される場合に左利きのユーザの操作性を高めることができるとともに、第２の姿勢において利用される場合にユーザの利き手によらず操作性を高めることができる。
【００８６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。
【００８７】
たとえば、本実施形態では右利きのユーザを基準とする場合の例について示したが、左利きのユーザを基準としてもよい。具体的には、第１の姿勢を第１の筐体１１がユーザから見て右に位置する姿勢として定義し、ユーザが右利きである場合に、ユーザの右側に位置するメインＬＣＤ３６にソフトキーとしてのテンキーを表示させてもよい。また、実施形態に示される全構成要素から幾つかの構成要素を削除してもよい。
【００８８】
また、本発明は、本実施形態で説明した携帯電話機１０のほかにも、情報処理装置に適用可能であり、特に、横スライド型の筐体構造を有するＰＤＡ（Personal Digital Assistant）、携帯型ゲーム機、携帯型音楽再生機、携帯型動画再生機などの携帯型の情報処理装置に好適である。
【００８９】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【符号の説明】
【００９０】
１０  携帯電話機
１１  第１の筐体
１２  第２の筐体
１３  第１の面
１４  メインタッチパネル（第１の表示入力部）
１５  レシーバ
１６  マイクロフォン
１７  第２の面
１８  サブタッチパネル（第２の表示入力部）
１９  キー入力部
２１  磁性片
２２  磁気センサ
３１  アンテナ
３２  送受信部
３３  利き手情報記憶部
３４  加速度センサ
３５  主制御部
３６  メインＬＣＤ
３７  メインタッチセンサ
３８  サブＬＣＤ
３９  サブタッチセンサ
４１  テキスト表示領域
４２  候補表示領域
５１  開閉判定部
５２  向き情報取得部
５３  姿勢判定部
５４  操作内容取得部
５５  キー表示変更部
５６  キー機能決定部
５７  画像生成部
１００  従来の横スライド型携帯電話機
【図１】
0005493979.tif 000002
【図２】
0005493979.tif 000003
【図３】
0005493979.tif 000004
【図４】
0005493979.tif 000005
【図５】
0005493979.tif 000006
【図６】
0005493979.tif 000007
【図７】
0005493979.tif 000008
【図８】
0005493979.tif 000009
【図９】
0005493979.tif 000010
【図１０】
0005493979.tif 000011
【図１１】
0005493979.tif 000012